【手続補正書】
【提出日】平成19年3月12日(2007.3.12)
【手続補正１】
【補正対象書類名】明細書
【補正対象項目名】発明の名称
【補正方法】変更
【補正の内容】
【発明の名称】地下を掘削するための設備、及び地下掘削方法
【手続補正２】
【補正対象書類名】明細書
【補正対象項目名】特許請求の範囲
【補正方法】変更
【補正の内容】
【特許請求の範囲】
【請求項１】
電力の加熱作用によって発生された熱エネルギーを有する蒸気或いはガス（例えば  かわき飽和蒸気近傍の蒸気又は過熱蒸気或いは湿り蒸気）の供給を受け、前記熱エネルギーを有する蒸気或いはガスを速度エネルギーに変換し、掘削する地下を通過することによって前記地下を掘削する作動流体を発生させる速度エネルギー変換手段を有する地下掘削装置
【請求項２】
電力の加熱作用により熱エネルギーを有する蒸気或いはガス（例えば  かわき飽和蒸気近傍の蒸気又は過熱蒸気或いは湿り蒸気）を発生させる電力加熱手段と、前記電力加熱手段によって発生された前記蒸気或いはガスを速度エネルギー変換手段に供給する供給手段とを有する熱エネルギー供給装置
【請求項３】
電力の加熱作用によって発生された熱エネルギーを有する蒸気或いはガス（例えば  かわき飽和蒸気近傍の蒸気又は過熱蒸気或いは湿り蒸気）の供給を受け、前記熱エネルギーを有する蒸気或いはガスを速度エネルギーに変換し、掘削する地下を通過することによって前記地下を掘削する作動流体を発生させる速度エネルギー変換手段と、高温ガスを含み、掘削する地下に隣接する高温ガス室とを有する地下掘削装置
【請求項４】
電力の加熱作用により熱エネルギーを有する蒸気或いはガス（例えば  かわき飽和蒸気近傍の蒸気又は過熱蒸気或いは湿り蒸気）を発生させる電力加熱手段と、前記電力加熱手段によって発生された前記蒸気或いはガスを速度エネルギー変換手段に供給する供給手段と、電力の加熱作用により高温ガスを発生させる高温ガス発生手段と、前記高温ガス発生手段によって発生された前記高温ガスを掘削する地下に隣接する高温ガス室に供給する供給手段とを有する熱エネルギー供給装置
【請求項５】
電力の加熱作用により高温ガスを発生させる高温ガス発生手段と、前記高温ガス発生手段によって発生された前記高温ガスを速度エネルギー変換手段及び掘削する地下に隣接する高温ガス室に供給する供給手段とを有する熱エネルギー供給装置
【請求項６】
電力の加熱作用により熱エネルギーを有する蒸気或いはガス（例えば １００℃から１２００℃までの空気 望ましくは４００℃ から６００℃までの空気）を発生させる電力加熱手段と、前記熱エネルギーを有する蒸気或いはガスの供給を受け、前記熱エネルギーを有する蒸気或いはガスを速度エネルギーに変換し、掘削する地下を通過することによって前記地下を掘削する作動流体を発生させる速度エネルギー変換手段とを有する地下掘削装置【請求項７】
電力の加熱作用により熱エネルギーを有する蒸気或いはガス（例えば １００℃から１２００℃までの空気 望ましくは４００℃ から６００℃までの空気）を発生させる電力加熱手段と、前記熱エネルギーを有する蒸気或いはガスの供給を受け前記熱エネルギーを有する蒸気或いはガスを速度エネルギーに変換し掘削する地下を通過することによって前記地下を掘削する作動流体を発生させる速度エネルギー変換手段と、高温ガスを含み、掘削する前記地下に隣接する高温ガス室とをを有する地下掘削装置
【請求項８】
電力の加熱作用によって発生された微細な粒子を有する高温ガス或いは蒸気（例えば１００℃から１２００℃までの空気 望ましくは４００℃ から６００℃までの空気）の供給を受け、前記微細な粒子を有する高温ガス或いは蒸気を速度エネルギーに変換し掘削する地下を通過することによって前記地下を掘削する微細な粒子を有する作動流体を発生させる速度エネルギー変換手段を有する地下掘削装置
【請求項９】
電力の加熱作用によって発生された微細な粒子を有する高温ガス或いは蒸気（例えば １００℃から１２００℃までの空気 望ましくは４００℃ から６００℃までの空気）の供給を受け、前記微細な粒子を有する高温ガス或いは蒸気を速度エネルギーに変換し掘削する地下を通過することによって前記地下を掘削する微細な粒子を有する作動流体を発生させる速度エネルギー変換手段と、高温ガスを含み、掘削する前記地下に隣接する高温ガス室とをを有する地下掘削装置
【請求項１０】
掘削する地下に隣接し、地下掘削物を循環ガスと共に流すガス循環室
を有する請求項1、請求項６或いは請求項８記載の地下掘削装置
【請求項１１】
掘削する地下に隣接し、地下掘削物を高温循環ガスと共に流す高温ガス循環室
を有する請求項３、請求項７或いは請求項９記載の地下掘削装置
【請求項１２】
請求項１０或いは請求項１１記載の地下掘削装置の地下掘削物と共に流れる循環ガス或いは高温循環ガスが送風機により再び循環される前に前記地下掘削物を除去する掘削物除去手段を有する掘削物除去装置
【請求項１３】
請求項１０或いは請求項１１記載の地下掘削装置の掘削する地下に隣接するガス循環室あるいは高温ガス循環室のガス或いは高温ガスを循環し、地下掘削物を循環ガスと共に流す送風機と、前記循環ガスが前記送風機によって再び循環される前に前記地下掘削物を除去する掘削物除去手段とを有する地下掘削物除去装置
【請求項１４】
掘削する地下に隣接するガス循環室あるいは高温ガス循環室のガス或いは高温ガスを循環し、地下掘削物を循環ガスと共に流す送風機と、前記循環ガスが前記送風機によって再び循環される前に前記地下掘削物を除去する掘削物除去手段とを有する請求項１０或いは請求項１１記載の地下掘削装置
【請求項１５】
未だ掘削されていない地下部分を検知する検知手段と、全ての地下部分が掘削されたとの前記検知手段の信号の後、掘削する地下の端部を掘削するため前記作動流体を方向ずける手段と、前記掘削する地下の端部を掘削した後、移動する移動手段とを有する請求項１，請求項３，請求項６、請求項７、請求項８、請求項９、請求項１０，請求項１１或いは請求項１４記載の地下掘削装置
【請求項１６】
未だ掘削されていない地下部分を検知する検知手段と、未だ掘削されていない地下部分を掘削するため前記作動流体を方向ずけるか、全ての地下部分が掘削されたとの前記検知手段の信号の後、掘削する地下の端部を掘削するため前記作動流体を方向ずける手段と、前記掘削する地下の端部を掘削した後、移動する移動手段とを有する請求項１，請求項３，請求項６、請求項７、請求項８、請求項９、請求項１０，請求項１１或いは請求項１４記載の地下掘削装置  
【請求項１７】
電力の加熱作用により熱エネルギーを有する蒸気或いはガス（例えば  かわき飽和蒸気近傍の蒸気又は過熱蒸気或いは湿り蒸気）を発生させるステップと、エネルギー変換手段によって前記熱エネルギーを有する蒸気或いはガスを作動流体に変換するステップと、前記作動流体が掘削する地下を通過することによって前記地下を掘削するステップよりなる地下掘削方法
【請求項１８】
電力の加熱作用により熱エネルギーを有する蒸気或いはガス（例えば  かわき飽和蒸気近傍の蒸気又は過熱蒸気或いは湿り蒸気）を発生させるステップと、エネルギー変換手段によって前記熱エネルギーを有する蒸気或いはガスを作動流体に変換するステップと、前記作動流体が地下掘削装置の高温ガス室を通過することによって前記地下を掘削するステップよりなる請求項3、請求項7、請求項９、請求項１１或いは請求項１４記載の地下掘削装置を使用する地下掘削方法  
【請求項１９】
電力の加熱作用により熱エネルギーを有する蒸気或いはガス（例えば  かわき飽和蒸気近傍の蒸気又は過熱蒸気或いは湿り蒸気）を発生させるステップと、エネルギー変換手段によって前記熱エネルギーを有する蒸気或いはガスを作動流体に変換するステップと、前記作動流体が掘削する地下を通過することによって前記地下を掘削するステップと、掘削する地下において未だ掘削されていない地下部分を検知するステップと、前記掘削する地下において全ての地下部分が掘削されたとの前記検知ステップの信号の後、掘削する地下の端部を掘削するため前記作動流体を方向ずけるステップと、前記掘削する地下の端部を掘削した後、移動するステップとよりなる地下掘削方法  
【手続補正３】
【補正対象書類名】明細書
【補正対象項目名】０００１
【補正方法】変更
【補正の内容】
【０００１】
【発明の属する技術分野】
本発明は地下を掘削するための設備、及び地下掘削方法に関する。
【手続補正４】
【補正対象書類名】明細書
【補正対象項目名】０００３
【補正方法】変更
【補正の内容】
【０００３】
【課題を解決するための手段】
本発明の目的は電力の加熱作用によって発生された熱エネルギーを有する蒸気或いはガスが作動流体として速度エネルギーに変換され、その作動流体が掘削する地下を通過することによって前記地下を掘削する地下を掘削するための設備、及び地下掘削方法を提供することである
請求項１による地下掘削装置は、電力の加熱作用によって発生された熱エネルギーを有する蒸気或いはガス（例えば  かわき飽和蒸気近傍の蒸気又は過熱蒸気或いは湿り蒸気）の供給を受け、前記熱エネルギーを有する蒸気或いはガスを速度エネルギーに変換し、掘削する地下を通過することによって前記地下を掘削する作動流体を発生させる速度エネルギー変換手段を有する。
請求項２による熱エネルギー供給装置は、電力の加熱作用により熱エネルギーを有する蒸気或いはガス（例えば  かわき飽和蒸気近傍の蒸気又は過熱蒸気或いは湿り蒸気）を発生させる電力加熱手段と、前記電力加熱手段によって発生された前記蒸気或いはガスを速度エネルギー変換手段に供給する供給手段とを有する。
請求項３による地下掘削装置は、電力の加熱作用によって発生された熱エネルギーを有する蒸気或いはガス（例えば  かわき飽和蒸気近傍の蒸気又は過熱蒸気或いは湿り蒸気）の供給を受け、前記熱エネルギーを有する蒸気或いはガスを速度エネルギーに変換し、掘削する地下を通過することによって前記地下を掘削する作動流体を発生させる速度エネルギー変換手段と、高温ガスを含み、掘削する地下に隣接する高温ガス室とを有する。
請求項４による熱エネルギー供給装置は、電力の加熱作用により熱エネルギーを有する蒸気或いはガス（例えば  かわき飽和蒸気近傍の蒸気又は過熱蒸気或いは湿り蒸気）を発生させる電力加熱手段と、前記電力加熱手段によって発生された前記蒸気或いはガスを速度エネルギー変換手段に供給する供給手段と、電力の加熱作用により高温ガスを発生させる高温ガス発生手段と、前記高温ガス発生手段によって発生された前記高温ガスを掘削する地下に隣接する高温ガス室に供給する供給手段とを有する。
請求項５による熱エネルギー供給装置は、電力の加熱作用により高温ガスを発生させる高温ガス発生手段と、前記高温ガス発生手段によって発生された前記高温ガスを速度エネルギー変換手段及び掘削する地下に隣接する高温ガス室に供給する供給手段とを有する。
請求項６による地下掘削装置は、電力の加熱作用により熱エネルギーを有する蒸気或いはガス（例えば １００℃から１２００℃までの空気 望ましくは４００℃ か６００℃までの空気）を発生させる電力加熱手段と、前記熱エネルギーを有する蒸気或いはガスの供給を受け、前記熱エネルギーを有する蒸気或いはガスを速度エネルギーに変換し、掘削する地下を通過することによって前記地下を掘削する作動流体を発生させる速度エネルギー変換手段を有する。
請求項７による地下掘削装置は、電力の加熱作用により熱エネルギーを有する蒸気或いはガス（例えば １００℃から１２００℃までの空気 望ましくは４００℃ から６００℃までの空気）を発生させる電力加熱手段と、前記熱エネルギーを有する蒸気或いはガスの供給を受け前記熱エネルギーを有する蒸気或いはガスを速度エネルギーに変換し掘削する地下を通過することによって前記地下を掘削する作動流体を発生させる速度エネルギー変換手段と、高温ガスを含み、掘削する前記地下に隣接する高温ガス室とをを有する。
請求項８による地下掘削装置は、電力の加熱作用によって発生された微細な粒子を有する高温ガス或いは蒸気（例えば １００℃から１２００℃までの空気 望ましくは４００℃ から６００℃までの空気）の供給を受け、前記微細な粒子を有する高温ガス或いは蒸気を速度エネルギーに変換し掘削する地下を通過することによって前記地下を掘削する微細な粒子を有する作動流体を発生させる速度エネルギー変換手段を有する。
請求項９による地下掘削装置は、電力の加熱作用によって発生された微細な粒子を有する高温ガス或いは蒸気（例えば １００℃から１２００℃までの空気 望ましくは４００℃ から６００℃までの空気）の供給を受け、前記微細な粒子を有する高温ガス或いは蒸気を速度エネルギーに変換し掘削する地下を通過することによって前記地下を掘削する微細な粒子を有する作動流体を発生させる速度エネルギー変換手段と、高温ガスを含み、掘削する前記地下に隣接する高温ガス室とをを有する。
請求項１０による地下掘削装置は、掘削する地下に隣接し、地下掘削物を循環ガスと共に流すガス循環室を有する請求項1、請求項６或いは請求項８記載の地下掘削装置である。
請求項１１による地下掘削装置は、掘削する地下に隣接し、地下掘削物を高温循環ガスと共に流す高温ガス循環室を有する請求項３、請求項７或いは請求項９記載の地下掘削装置である。
請求項１２による地下掘削物除去装置は、請求項１０或いは請求項１１記載の地下掘削装置の地下掘削物と共に流れる循環ガス或いは高温循環ガスが送風機により再び循環される前に前記地下掘削物を除去する掘削物除去手段を有する掘削物除去装置である。
請求項１３による地下掘削物除去装置は、請求項１０或いは請求項１１記載の地下掘削装置の掘削する地下に隣接するガス循環室あるいは高温ガス循環室のガス或いは高温ガスを循環し、地下掘削物を循環ガスと共に流す送風機と、前記循環ガスが前記送風機によって再び循環される前に前記地下掘削物を除去する掘削物除去手段とを有する地下掘削物除去装置である。
請求項１４による地下掘削装置は、掘削する地下に隣接するガス循環室あるいは高温ガス循環室のガス或いは高温ガスを循環し、地下掘削物を循環ガスと共に流す送風機と、前記循環ガスが前記送風機によって再び循環される前に前記地下掘削物を除去する掘削物除去手段とを有する請求項１０或いは請求項１１記載の地下掘削装置である。
請求項１５地下掘削装置は、未だ掘削されていない地下部分を検知する検知手段と、全ての地下部分が掘削されたとの前記検知手段の信号の後、掘削する地下の端部を掘削するため前記作動流体を方向ずける手段と、前記掘削する地下の端部を掘削した後、移動する移動手段とを有する請求項１，請求項３，請求項６、請求項７、請求項８、請求項９、請求項１０，請求項１１或いは請求項１４記載の地下掘削装置である。
請求項１６による地下掘削装置は、未だ掘削されていない地下部分を検知する検知手段と、未だ掘削されていない地下部分を掘削するため前記作動流体を方向ずけるか、全ての地下部分が掘削されたとの前記検知手段の信号の後、掘削する地下の端部を掘削するため前記作動流体を方向ずける手段と、前記掘削する地下の端部を掘削した後、移動する移動手段とを有する請求項１，請求項３，請求項６、請求項７、請求項８、請求項９、請求項１０，請求項１１或いは請求項１４記載の地下掘削装置である。  
請求項１７による地下掘削方法は、電力の加熱作用により熱エネルギーを有する蒸気或いはガス（例えば  かわき飽和蒸気近傍の蒸気又は過熱蒸気或いは湿り蒸気）を発生させるステップと、エネルギー変換手段によって前記熱エネルギーを有する蒸気或いはガスを作動流体に変換するステップと、前記作動流体が掘削する地下を通過することによって前記地下を掘削するステップよりなる。
請求項１８による地下掘削方法は、  電力の加熱作用により熱エネルギーを有する蒸気或いはガス（例えば  かわき飽和蒸気近傍の蒸気又は過熱蒸気或いは湿り蒸気）を発生させるステップと、エネルギー変換手段によって前記熱エネルギーを有する蒸気或いはガスを作動流体に変換するステップと、前記作動流体が地下掘削装置の高温ガス室を通過することによって前記地下を掘削するステップよりなる請求項3、請求項7、請求項９、請求項１１或いは請求項１４記載の地下掘削装置を使用する地下掘削方法である。 
請求項１９による地下掘削方法は、電力の加熱作用により熱エネルギーを有する蒸気或いはガス（例えば  かわき飽和蒸気近傍の蒸気又は過熱蒸気或いは湿り蒸気）を発生させるステップと、エネルギー変換手段によって前記熱エネルギーを有する蒸気或いはガスを作動流体に変換するステップと、前記作動流体が掘削する地下を通過することによって前記地下を掘削するステップと、掘削する地下において未だ掘削されていない地下部分を検知するステップと、前記掘削する地下において全ての地下部分が掘削されたとの前記検知ステップの信号の後、掘削する地下の端部を掘削するため前記作動流体を方向ずけるステップと、前記掘削する地下の端部を掘削した後、移動するステップとよりなる。